(57)【要約】【課題】  効率のよい情報配信システムを提供する。【解決手段】  情報配信システムは、情報配信サーバ１と、ユーザ端末２と、クライアント端末３から構成され、情報配信サーバとユーザ端末、並びに情報配信サーバとクライアント端末はそれぞれインターネット４によって通信可能な状態となっている。また、情報配信サーバは、ユーザ情報登録手段５と、クライアント情報登録手段６と、ユーザ選択項目記憶手段７と、ユーザ情報検索手段８と、クーポン付電子メール送信手段９と、クライアント情報検索手段１０を備えており、ユーザ端末は、ユーザ情報送信手段１１と、ユーザ選択項目送信手段１２と、クーポン付電子メール受信手段１３を備えており、そしてクライアント端末は、クライアント情報送信手段１４と、クーポン付電子メール送信要求手段１５を備えている。【選択図】  図１
2006195609.tif 000002
【特許請求の範囲】
【請求項１】
ユーザ端末と、クライアント端末と、情報配信サーバによって情報を配信する情報配信システムであって、
前記ユーザ端末は、
ユーザに関する情報を前記情報配信サーバへ送信するユーザ情報送信手段と、
前記情報配信サーバが提供する項目からユーザが選択した項目を前記情報配信サーバへ送信するユーザ選択項目送信手段と、
クライアントに関する情報を有する電子メールを前記情報配信サーバから受信する電子メール受信手段を備え、
前記クライアント端末は、
クライアントに関する情報を前記情報配信サーバへ送信するクライアント情報送信手段と、
前記情報配信サーバが提供する項目のうち、クライアントが選択した項目と同じ項目を選択したユーザへ、クライアントに関する情報を有する電子メールを送信するよう前記情報配信サーバに要求する電子メール送信要求手段を備え、
前記情報配信サーバは、
前記ユーザ情報送信手段によって送信されたユーザに関する情報を登録するユーザ情報登録手段と、
前記クライアント情報送信手段によって送信されたクライアントに関する情報を登録するクライアント情報登録手段と、
前記ユーザ選択項目送信手段によって送信された項目を、送信したユーザの登録された情報と共に記憶するユーザ選択項目記憶手段と、
前記情報配信サーバが提供する項目のうち、クライアントが選択した項目と同じ項目を選択したユーザを、前記ユーザ選択項目記憶手段に記憶されたユーザの登録された情報から検索するユーザ情報検索手段と、
前記電子メール送信要求手段からの要求に応じて、前記ユーザ情報検索手段によって検索されたユーザへ、要求したクライアントに関する情報を有する電子メールを送信する電子メール送信手段を備える
情報配信システム。
【請求項２】
前記情報配信サーバは、携帯可能な通信機器と通信できるものである
請求項１に記載の情報配信システム。
【請求項３】
情報配信サーバによって情報を配信する情報配信システムであって、
ユーザに関する情報を受信するユーザ情報受信手段と、
前記ユーザ情報受信手段によって受信したユーザに関する情報を登録するユーザ情報登録手段と、
前記情報配信サーバが提供する項目からユーザが選択した項目を受信するユーザ選択項目受信手段と、
クライアントに関する情報を受信するクライアント情報受信手段と、
前記クライアント情報受信手段によって受信したクライアントに関する情報を登録するクライアント情報登録手段と、
前記情報配信サーバが提供する項目からユーザが選択した項目を受信するユーザ選択項目受信手段と、
前記ユーザ選択項目受信手段によって受信した項目を、送信したユーザの登録された情報と共に記憶するユーザ選択項目記憶手段と、
前記情報配信サーバが提供する項目のうち、クライアントが選択した項目と同じ項目を選択したユーザを、前記ユーザ選択項目記憶手段に記憶されたユーザの登録された情報から検索するユーザ情報検索手段と、
クライアントからの要求に応じて、前記ユーザ情報検索手段によって検索されたユーザへ、要求したクライアントに関する情報を有する電子メールを送信する電子メール送信手段を備える
情報配信システム。
【請求項４】
前記情報配信サーバは、携帯可能な通信機器と通信できるものである
請求項３に記載の情報配信システム。
【発明の詳細な説明】
【技術分野】
【０００１】
本発明は情報配信システムに関する。詳しくは、情報配信サーバが提供する項目のうち、クライアントが選択した項目と同じ項目を選択したユーザへ、クライアントからの要求に応じて要求したクライアントに関する情報を有する電子メールを送信することによって、効率よく情報を提供しようとする情報配信システムに係るものである。
【背景技術】
【０００２】
従来、商業上の目的で、通信回線等を利用して商品、サービス及び事業等の情報を提供する方法すなわち広告方法として、ホームページ等に広告用のバナーを貼ったり、ダイレクト広告電子メールを送ったりする方法が行なわれている。
【０００３】
ところが、ユーザにとって関心がない内容の広告電子メールが多数配信されるいわゆるスパムメールがユーザにとって迷惑な存在となっていると共に、ユーザにとって関心がなく同様の広告電子メールが頻繁に送られてくると、その広告は次第に無視されるようになり、広告の効果が激減していた。
【０００４】
そこで、ユーザの興味に合致した広告配信に関する技術がいくつか提案されている。例えば特許文献１には、インターネットサーバを使用してユーザの動作を解析し、この解析結果に基づく広告情報をユーザに自動配信する広告自動配信システムが開示されている。このシステムは、ユーザによるキーワード入力の手間を省いている。
【０００５】
【特許文献１】特開２０００−５７１５７号公報
【発明の開示】
【発明が解決しようとする課題】
【０００６】
しかしながら、従来のシステムでは、ユーザのアクセス傾向を分析するためのパラメータの特定やパラメータによる統計的処理が煩雑であり、似たアクセス傾向を持つユーザを抽出するプロセスにも時間が掛かり、数百万のユーザが存在する場合には分析が大変であり、広告配信の効率が悪かった。
【０００７】
本発明は、以上の点に鑑みて創案されたものであり、効率のよい情報配信システムを提供することを目的とするものである。
【課題を解決するための手段】
【０００８】
上記の目的を達成するために、本発明の情報配信システムは、ユーザ端末と、クライアント端末と、情報配信サーバによって情報を配信する情報配信システムであって、前記ユーザ端末は、ユーザに関する情報を前記情報配信サーバへ送信するユーザ情報送信手段と、前記情報配信サーバが提供する項目からユーザが選択した項目を前記情報配信サーバへ送信するユーザ選択項目送信手段と、クライアントに関する情報を有する電子メールを前記情報配信サーバから受信する電子メール受信手段を備え、前記クライアント端末は、クライアントに関する情報を前記情報配信サーバへ送信するクライアント情報送信手段と、前記情報配信サーバが提供する項目のうち、クライアントが選択した項目と同じ項目を選択したユーザへ、クライアントに関する情報を有する電子メールを送信するよう前記情報配信サーバに要求する電子メール送信要求手段を備え、前記情報配信サーバは、前記ユーザ情報送信手段によって送信されたユーザに関する情報を登録するユーザ情報登録手段と、前記クライアント情報送信手段によって送信されたクライアントに関する情報を登録するクライアント情報登録手段と、前記ユーザ選択項目送信手段によって送信された項目を、送信したユーザの登録された情報と共に記憶するユーザ選択項目記憶手段と、前記情報配信サーバが提供する項目のうち、クライアントが選択した項目と同じ項目を選択したユーザを、前記ユーザ選択項目記憶手段に記憶されたユーザの登録された情報から検索するユーザ情報検索手段と、前記電子メール送信要求手段からの要求に応じて、前記ユーザ情報検索手段によって検索されたユーザへ、要求したクライアントに関する情報を有する電子メールを送信する電子メール送信手段を備える。
【０００９】
ここで、ユーザ情報検索手段によって、提供されたクライアントの情報に関心を持つことが期待されるユーザを絞り込むことができる。
【００１０】
また、本発明の情報配信システムは、情報配信サーバによって情報を配信する情報配信システムであって、ユーザに関する情報を受信するユーザ情報受信手段と、前記ユーザ情報受信手段によって受信したユーザに関する情報を登録するユーザ情報登録手段と、前記情報配信サーバが提供する項目からユーザが選択した項目を受信するユーザ選択項目受信手段と、クライアントに関する情報を受信するクライアント情報受信手段と、前記クライアント情報受信手段によって受信したクライアントに関する情報を登録するクライアント情報登録手段と、前記情報配信サーバが提供する項目からユーザが選択した項目を受信するユーザ選択項目受信手段と、前記ユーザ選択項目受信手段によって受信した項目を、送信したユーザの登録された情報と共に記憶するユーザ選択項目記憶手段と、前記情報配信サーバが提供する項目のうち、クライアントが選択した項目と同じ項目を選択したユーザを、前記ユーザ選択項目記憶手段に記憶されたユーザの登録された情報から検索するユーザ情報検索手段と、クライアントからの要求に応じて、前記ユーザ情報検索手段によって検索されたユーザへ、要求したクライアントに関する情報を有する電子メールを送信する電子メール送信手段を備える。
【００１１】
ここで、ユーザ情報検索手段によって、提供されたクライアントの情報に関心を持つことが期待されるユーザを絞り込むことができる。
【発明の効果】
【００１２】
本発明に係る情報配信システムは、効率よく情報を配信できる。
【発明を実施するための最良の形態】
【００１３】
以下、本発明の実施の形態について図面を参照しながら説明し、本発明の理解に供する。図１は、本発明を適用した情報配信システムの実施態様の一例を示す概略ブロック図である。情報配信システムは、情報配信サーバ１と、ユーザ端末２と、クライアント端末３から構成され、情報配信サーバとユーザ端末、並びに情報配信サーバとクライアント端末はそれぞれインターネット４によって通信可能な状態となっている。また、情報配信サーバは、ユーザ情報登録手段５と、クライアント情報登録手段６と、ユーザ選択項目記憶手段７と、ユーザ情報検索手段８と、クーポン付電子メール送信手段９と、クライアント情報検索手段１０を備えており、ユーザ端末は、ユーザ情報送信手段１１と、ユーザ選択項目送信手段１２と、クーポン付電子メール受信手段１３を備えており、そしてクライアント端末は、クライアント情報送信手段１４と、クーポン付電子メール送信要求手段１５を備えている。ここで、情報配信サーバとユーザ端末、並びに情報配信サーバとクライアント端末がそれぞれ通信可能な状態であれば、有線による通信でもよいしまた無線による通信でもよい。なお、ここでいう「端末」とは、情報配信サーバと通信が可能な機器を意味し、例えば、インターネットに接続できる携帯可能な通信機器（携帯電話機等）や、インターネットに接続可能なコンピュータ等が挙げられる。
【００１４】
ここで、ユーザ情報登録手段は、ユーザ情報送信手段によって送信されたユーザに関する情報を登録するよう構成されている。ユーザに関する情報としては、例えば電子メールアドレス、氏名または名称等が挙げられる。
【００１５】
また、クライアント情報登録手段は、クライアント情報送信手段によって送信されたクライアントに関する情報を登録するよう構成されている。クライアントに関する情報としては、例えば氏名または名称、住所、電子メールアドレス、クライアントが属する分野等が挙げられる。
【００１６】
更に、ユーザ選択項目記憶手段は、ユーザ選択項目送信手段によって送信された項目を、送信したユーザの登録された情報と共に記憶するよう構成されている。
【００１７】
また、ユーザ情報検索手段は、情報配信サーバが提供する項目のうち、クライアントが選択した項目と同じ項目を選択したユーザを、ユーザ選択項目記憶手段に記憶されたユーザの登録された情報から検索するよう構成されている。情報配信サーバが提供する項目としては、例えば都道府県名や市町村名等のエリア項目、ぐるめ、旅行、ビジネス等のクライアントが属する分野が挙げられる。
【００１８】
また、クーポン付電子メール送信手段は、クライアントからの要求に応じて、ユーザ情報検索手段によって検索されたユーザへ、要求したクライアントに関する情報を有するクーポン付電子メールを送信するよう構成されている。ここで、クライアントからの要求に応じて、ユーザ情報検索手段によって検索されたユーザへ、要求したクライアントに関する情報を電子メールにて送信できれば、必ずしも電子メールにクーポンが付いていなくてもよい。
【００１９】
また、クライアント情報検索手段は、クライアント情報登録手段に登録されたクライアントに関する情報の中から、情報配信サーバが提供する項目に関連する情報をユーザが検索できるよう構成されている。ここで、情報配信サーバは、ユーザ情報登録手段と、クライアント情報登録手段と、ユーザ選択項目記憶手段と、ユーザ情報検索手段と、電子メール送信手段を備えていれば、クライアント情報検索手段を備えていなくてもよい。
【００２０】
また、ユーザ情報送信手段は、ユーザに関する情報を情報配信サーバへ送信するよう構成されている。また、ユーザ選択項目送信手段は、情報配信サーバが提供する項目からユーザが選択した項目を情報配信サーバへ送信するよう構成されている。また、クーポン付電子メール受信手段は、情報配信サーバのクーポン付電子メール送信手段によって送信されたクライアントに関する情報を有するクーポン付電子メールを受信するよう構成されている。
【００２１】
また、クライアント情報送信手段は、クライアントに関する情報を前記情報配信サーバへ送信するよう構成されている。また、クーポン付電子メール送信要求手段は、情報配信サーバが提供する項目のうち、クライアントが選択した項目と同じ項目を選択したユーザへ、クライアントに関する情報を有するクーポン付電子メールを送信するよう情報配信サーバに要求するよう構成されている。
【００２２】
次に、本発明を適用した情報配信システムの実施態様の一例を、ユーザ端末やクライアント端末に表示される画面を参照して説明する。図２は、情報配信サーバのＷＥＢページにクライアントに関する情報を掲載する際に必要なＩＤ取得のための手続画面の一例を示す概略説明図である。本発明を適用した情報配信システムの情報配信サーバに、クライアントに関する情報を掲載したいクライアントは、プルダウン方式で表示された希望掲載期間を選択すると共に、チェックボックス方式で選択できるように表示された、掲載に必要なポイントを、チェックボックスにチェックを入れて選択する。次に、電子メールアドレス入力欄にクライアントが有する電子メールアドレスを入力し、利用規約に同意した後、電子銀行または他の銀行を通じてポイントに応じて定められている金額を支払う。そして、支払いが完了すると、ＩＤと、クライアントに関する情報を入力できる掲載設定ページのＵＲＬを有する電子メールが、クライアントの電子メールアドレス宛に送られてくる。
【００２３】
ここで、希望掲載期間を選択できれば、プルダウン方式で選択しなくてもよく、例えばチェックボックス方式で選択してもよく、また、掲載に必要なポイントを選択できれば、チェックボックス方式で選択しなくてもよく、例えばプルダウン方式で選択してもよい。
【００２４】
図３（ａ）は、クライアントに関する情報を入力する未入力の基本設定画面の一例を示す概略説明図である。図中、下線が付された文字は、リンクされていることを示す。送られてきた掲載設定ページのＵＲＬにアクセスし、送られてきたＩＤと、所定のパスワードを用いてログインして表示された基本設定画面は、クライアントの名称（店名）、クライアントを宣伝するキャッチコピー、クライアントの住所（エリア選択及び住所）、ぐるめ、旅行、ビジネス等のクライアントが属する分野（カテゴリー）並びにクーポン券の内容を入力できるよう構成されている。ここで、店名、キャッチコピー、エリア選択、住所及びカテゴリーの欄が入力されれば、クーポン券の内容は入力しなくてもよい。これらを入力後、「基本設定完了」を選択すると、基本設定画面にて入力されたクライアントに関する情報が表示されている基本設定完了画面（図示せず。）がクライアント端末に表示され、「詳細設定」を選択すると、詳細設定画面がクライアント端末に表示され、「掲載開始」を選択すると実際の掲載ページが表示されて確認できる。また、適宜、前のページに戻ることができるのは勿論である。
【００２５】
図３（ｂ）は、クライアントが飲食店の場合の、クライアントに関する情報を入力する未入力の詳細設定画面の一例を示す概略説明図である。詳細設定画面では、クライアントの電話番号（ＴＥＬ）、クライアントの最寄りの駅、クライアントを訪ねるための方法（アクセス方法）、総座席数、クレジットカードが使用可能かどうか、営業時間、定休日、おすすめメニュー、メニュー並びに店内の様子を入力できるよう構成されている。ここで、クライアントが飲食店の場合を例に挙げて説明したが、クライアントがその他の分野例えばアクセサリーに属するのであれば、総座席数やメニューの代わりに、商品情報入力欄等が設けられる。これは、基本設定画面にて入力したカテゴリーに応じてそれぞれのカテゴリーに適した入力欄が詳細設定画面にて表示されるように構成されているからである。入力後、「詳細設定完了」を選択すると、詳細設定画面にて入力されたクライアントに関する情報が表示されている詳細設定完了画面（図示せず。）がクライアント端末に表示され、「画像掲載」を選択すると画像掲載画面（図示せず。）がクライアント端末に表示され、「掲載開始」を選択すると実際の掲載ページが表示されて確認できる。画像掲載画面（図示せず。）にて画像掲載を希望しない場合は、画像データを入力せずにそのまま「掲載開始」を選択すると、ＷＥＢ上にアクセス可能な状態で掲載される。
【００２６】
図４は、情報配信サーバに登録されたクライアントに関する情報を検索する検索画面と検索結果画面の一例を示す概略説明図であり、図４の（ａ）は検索画面を、図４の（ｂ）は検索結果画面をそれぞれ示す。ここで、検索画面には、「今日のモードは？」、「エリア検索」、「クーポンナビ！ＧＯ」及び「クーポンメール」の欄が表示されている。また、「今日のモードは？」の欄は、プルダウン方式でクライアントが属する分野である、「ぐるめ」が選択され、また、「エリア検索」の欄は、プルダウン方式で「福岡県」が選択されている。次に、この状態で「クーポンナビ！ＧＯ」を選択すると、情報配信サーバに登録されたクライアントに関する情報の中から、「ぐるめ」及び「福岡県」に関連する情報が検索される。
【００２７】
また、例えば「ぐるめ」や「福岡県」といったユーザが選択した項目は、選択したユーザの登録された情報と共に、同一のユーザが別の項目を選択して検索しない限り情報配信サーバに記憶されたままとなっている。また、クライアントに関する情報を検索できれば、「エリア検索」の欄の項目にはエリアを特定しない「全国」という項目が設けられていてもよく、また、「今日のモードは？」の欄の項目は適宜更新されてもよい。
【００２８】
また、図４の（ｂ）の例では、このような検索条件において６件が該当し、その６件中５件が表示されている。この検索結果において、クライアントの名称すなわち店名、住所、キャッチコピー並びに画像がクライアントごとに表示され、店名にはリンクが付けられており、店名を選択することで、クライアントが詳細設定画面にて入力した事項に相当する事項が表示された詳細画面（図示せず。）がユーザ端末の画面上に表示される。また、「クーポンメール」を選択すると、クーポンメール、すなわち情報配信サーバに登録したユーザ（登録ユーザ）が選択した今日のモードとエリアに合致したクライアントに関する情報が、かかる選択をした登録ユーザに送られるクーポン券とコイン付の電子メールについての説明文と、選択すると登録画面が表示される「登録は無料！」なる文字が表示された画面がユーザ端末の画面上に表示される。また、このコインは別途換金することができる。
【００２９】
図５は、登録したクライアントに関する情報をクライアント自身が管理する画面の一例を示す概略説明図であり、図５の（ａ）は一連の管理作業の最上層画面の一例であり、図５の（ｂ）はクーポンメール配信の条件を設定する画面の一例である。ここで、管理作業の最上層画面には、クライアントの管理ページである旨がクライアントの名称（ここでは「創作料理ＨＡＫＡＴＡ」）と共に表示され、更に購入したポイントの残高（ここでは１６００）、基本設定画面とリンクした「基本設定」、詳細設定画面とリンクした「詳細設定」、画像編集画面とリンクした「画像編集」、クーポンメール配信の条件を設定する画面とリンクした「クーポンメール配信」、後述するポイント購入画面とリンクした「ポイント購入」、Ｑ&Ａ集画面とリンクした「ＦＡＱ？」、並びに情報配信サーバの電子メールアドレス等問い合わせ先が表示された画面とリンクした「お問い合わせ」が表示されている。
【００３０】
また、クーポンメール配信の条件を設定する画面には、クーポンメール詳細説明画面とリンクした「クーポンメール配信とは？」、クライアントがクーポンメールの文面を作成する上で役立つ情報（例えばクーポンメール原稿例等）が表示された画面とリンクした「クーポンメールサポート」、プルダウン方式で「ぐるめ」が選択された、クライアントが属する分野に相当する「ユーザの趣味」、プルダウン方式で「福岡県」が選択された「エリア」、並びにこのように選択された状態で、情報配信サーバに記憶された例えば「ぐるめ」及び「福岡県」の項目を検索条件として、情報配信サーバに登録されたクライアントに関する情報の検索を情報配信サーバに要求したユーザの人数を検索する「人数検索」が表示されている。また、「ユーザの趣味」や「エリア」内の項目は複数選択することができる。
【００３１】
また、図６の（ｃ）は、図５の（ｂ）に示された「人数検索」の検索結果等を表示する画面の一例を示す概略説明図であり、図６の（ｄ）は、クーポンメールを作成する画面の一例を示す概略説明図である。人数検索の検索結果等を表示する画面には、検索結果の人数（ここでは１０００人）、そのうちの半分に当たる５００人分のクーポンメール配信に必要な配信ポイント（ここでは５０００ポイント）、クライアントが購入しているポイント数と比較して配信ポイント数に足りないポイント数、ポイント購入画面とリンクした「ポイントを購入する」、クーポンメールを作成する画面とリンクした「配信準備をする」が表示されている。また、人数検索の検索結果等を表示する画面には、クーポンメール配信料金が最低単価１０円からである旨の説明がなされている画面とリンクしている「１通＝１０Ｐ」も表示されている。
【００３２】
また、クライアントが「ぐるめ」及び「福岡県」を選択した状態で「配信準備をする」を選択すると、「ぐるめ」及び「福岡県」の項目を検索条件として、情報配信サーバに登録されたクライアントに関する情報の検索を情報配信サーバに要求したユーザ宛のクーポンメールを作成する画面がクライアント端末に表示される。ここで、クーポンメールを作成する画面には、クライアントがクーポンメールの文面（クライアントの宣伝文等）を作成する上で役立つ情報（例えばクーポンメール原稿例等）が表示された画面とリンクした「クーポンメールサポート」、クーポンメールを配信する日程（何月何日の何時何分）を１ヶ月先までプルダウン方式で選択できる「配信日程」、クーポンメールの「件名」入力欄、クーポンメールの本文入力欄、並びに選択するとクライアントの電子メールアドレス宛にクーポンメールをテスト送信する「テスト確認へ」が表示されている。この実施例では、人数検索を行なった後に配信準備を行なっているが、クーポンメールを送ることができるのであれば必ずしも人数検索を行なわなくてもよく、「ユーザの趣味」と「エリア」を選択後、配信準備を行なってもよい。
【００３３】
また、テスト送信されたクーポンメールには、選択すると図６（ｄ）に示されるようなクーポンメールを作成する画面へ戻る「クーポンメールを変更する」、並びに「予約を確定する」が表示された画面（図示せず。）とリンクした文言等が記載されている。また、「予約を確定する」を選択すると、予約完了メールがクライアントの電子メールアドレス宛に送信される。また、クーポンメールがユーザの電子メールアドレス宛に配信されると、配信完了メールがクライアントの電子メールアドレス宛に送信され、この時点で、クライアントの購入ポイントから配信ポイントが差し引かれる旨が配信完了メールに記載されている。ここで、クーポンメールをユーザの電子メールアドレス宛に送ることが出来れば、配信日程を選択しなくてもよく、クライアントがクーポンメール配信を確定後、すみやかにクーポンメールがユーザの電子メールアドレス宛に送られるようにしてもよい。
【００３４】
一方、情報配信サーバは、クライアントが「予約を確定する」を選択すると、クライアントが選択した「ぐるめ」及び「福岡県」と同じく「ぐるめ」及び「福岡県」を選択してクライアントに関する情報を検索した登録ユーザの情報を、サーバ内のデータベースから検索し、検索されたユーザの電子メールアドレス宛に、「ぐるめ」のカテゴリーで登録していると共に登録している住所が福岡県内であるクライアントの情報を有するクーポンメールを配信する。
【００３５】
図７は、ポイント購入画面の一例を示す概略説明図である。ポイント購入画面には、複数種類のポイント、それぞれのポイント購入金額及びポイント数と購入金額の比率が表示されており、各ポイントはチェックボックスによって選択されるようになっている。購入したいポイントのチェックボックスにチェックを入れて（図７では５００００ポイントにチェック）、「上記選択」を選択すると、「電子銀行で支払う」及び「他の銀行で支払う」の選択肢が表示される画面（図示せず。）が表示され、どちらかを選んで支払いを済ませる。
【００３６】
このように、本発明を適用した情報配信システムによれば、クライアントは、情報配信サーバに登録している、クライアント自身が属する分野とクライアント自身の住所を選択して、クライアント自身の宣伝であるクーポン付きの電子メールを、同じく情報配信サーバに登録しているユーザであってクライアントが選択した分野や住所と同じものを選択して検索条件とし、クライアントの情報を検索するよう情報配信サーバに要求したユーザ宛に、情報配信サーバ内のクライアント自身が管理するＷＥＢページから自由に配信でき、ユーザ自身も検索した分野等に関連した情報がリアルタイムで送られてくるため送られてきた情報に興味を持つことが期待され、効率的に広告効果を向上させることが出来る。また、情報配信サーバ内のクライアント自身が管理するＷＥＢページから、どの分野のどのエリアについてのクライアントの情報をどのくらいの数のユーザが検索しているかを検索できるので、どのような分野が盛況であるかが判り、マーケティングに利用することが出来る。
【図面の簡単な説明】
【００３７】
【図１】本発明を適用した情報配信システムの実施態様の一例を示す概略ブロック図である。
【図２】情報配信サーバのＷＥＢページにクライアントに関する情報を掲載する際に必要なＩＤ取得のための手続画面の一例を示す概略説明図である。
【図３（ａ）】クライアントに関する情報を入力する未入力の基本設定画面の一例を示す概略説明図である。
【図３（ｂ）】クライアントが飲食店の場合の、クライアントに関する情報を入力する未入力の詳細設定画面の一例を示す概略説明図である。
【図４】情報配信サーバに登録されたクライアントに関する情報を検索する検索画面と検索結果画面の一例を示す概略説明図であり、（ａ）は検索画面を、（ｂ）は検索結果画面をそれぞれ示す。
【図５】登録したクライアントに関する情報をクライアント自身が管理する画面の一例を示す概略説明図であり、（ａ）は一連の管理作業の最上層画面の一例であり、（ｂ）はクーポンメール配信の条件を設定する画面の一例である。
【図６】（ｃ）は、図５の（ｂ）に示された「人数検索」の検索結果等を表示する画面の一例を示す概略説明図であり、（ｄ）は、クーポンメールを作成する画面の一例を示す概略説明図である。
【図７】ポイント購入画面の一例を示す概略説明図である。
【符号の説明】
【００３８】
１    情報配信サーバ
２    ユーザ端末
３    クライアント端末
４    インターネット
５    ユーザ情報登録手段
６    クライアント情報登録手段
７    ユーザ選択項目記憶手段
８    ユーザ情報検索手段
９    クーポン付電子メール送信手段
１０    クライアント情報検索手段
１１    ユーザ情報送信手段
１２    ユーザ選択項目送信手段
１３    クーポン付電子メール受信手段
１４    クライアント情報送信手段
１５    クーポン付電子メール送信要求手段
【図１】
2006195609.tif 000003
【図２】
2006195609.tif 000004
【図３（ａ）】
2006195609.tif 000005
【図３（ｂ）】
2006195609.tif 000006
【図４】
2006195609.tif 000007
【図５】
2006195609.tif 000008
【図６】
2006195609.tif 000009
【図７】
2006195609.tif 000010